(57)【要約】【課題】ユーザ操作に応じて周辺装置を制御することが可能な情報共有化システムおよび中継装置を提供する。【解決手段】ワークスペース制御処理部２２は、情報を共有化するための共通の作業領域画面に対する処理を実行し、情報処理装置表示送受信部３４は、ワークスペース制御処理部２２で処理された共通の作業領域画面を情報処理装置の表示部に送信する。情報処理装置操作検知部３２は、情報処理装置の共通の作業領域画面に対する操作処理を検知する。周辺機器制御処理部２８は、情報処理装置操作検知部３２で検知した検知結果に従い周辺機器制御情報管理部２６で管理されている制御情報に基づいて周辺機器を制御する。【選択図】図３
2010067190.tif 000002
【特許請求の範囲】
【請求項１】
表示手段および前記表示手段に表示される情報を操作するための操作手段を含む情報処理装置と、
情報の入力あるいは出力の少なくとも一方が可能な周辺機器と、
前記情報処理装置と前記周辺機器とがそれぞれ接続された中継機器とを備え、
前記中継機器は、
前記接続される情報処理装置に対して情報を共有化するための共通の作業領域画面を送信する送信手段と、
前記情報処理装置に対して送信された前記共通の作業領域画面に対する前記情報処理装置の操作手段による操作を検知する検知手段と、
前記共通の作業領域画面に対する前記検知手段の検知結果に応じた処理を実行する作業領域制御手段と、
前記検知手段の検知結果に応じて、前記中継機器と接続された周辺機器の動作を制御する周辺機器制御手段とを含む、情報共有化システム。
【請求項２】
前記中継機器は、接続された周辺機器の種別を識別する機器識別手段をさらに備え、
前記周辺機器制御手段は、
前記機器識別手段により識別された周辺機器に応じた動作を制御するための制御情報を管理する周辺機器制御情報管理手段と、
前記検知手段の検知結果に応じて、前記機器制御情報管理手段により管理されている制御情報を前記周辺機器に出力する周辺機器制御情報出力手段とを含む、請求項１記載の情報共有化システム。
【請求項３】
前記中継機器と同一の構成であり、ネットワークで接続された別の中継機器と、
前記別の中継機器と接続された別の周辺機器とを備え、
前記中継機器および前記別の中継機器の各々は、互いに前記ネットワークを介して情報の送受信が可能な通信手段をさらに含み、
前記中継機器の前記周辺機器制御手段は、前記通信手段により前記別の中継機器に対して前記別の中継機器と接続された別の周辺機器を制御するための制御情報を送信し、
前記別の中継機器の前記周辺機器制御手段は、受信した制御情報に応じて前記別の中継機器の動作を制御する、請求項１記載の情報共有化システム。
【請求項４】
前記情報処理装置の操作手段による操作は、前記共通の作業領域画面におけるデータファイルのオープン指示、クローズ指示、移動指示、全画面表示指示、削除指示、プリント指示のうちの少なくともいずれかに相当する、請求項１〜３のいずれかに記載の情報共有化システム。
【請求項５】
前記周辺機器は、ＴＶ会議システム、プリンタ、スキャナ、カメラ、マイク、ＩＰ電話機、プロジェクタの少なくともいずれかに相当する、請求項１〜４のいずれかに記載の情報共有化システム。
【請求項６】
表示部を有する情報処理装置および周辺機器と接続される接続手段と、
前記情報処理装置に対して情報を共有化するための共通の作業領域画面を送信する送信手段と、
前記送信された前記共通の作業領域画面に対する前記接続された情報処理装置の操作手段による操作を検知する検知手段と、
前記共通の作業領域画面に対する前記検知手段の検知結果に応じた処理を実行する作業領域制御手段と、
前記検知手段の検知結果に応じて、前記接続手段と接続された周辺機器の動作を制御する周辺機器制御手段とを含む、中継機器。
【発明の詳細な説明】
【技術分野】
【０００１】
本発明は、情報共有化システムに関し、パーソナルコンピュータ（ＰＣ：Personal Computer）等の情報処理装置等とプリンタ等の周辺機器等とを中継機器に接続して、中継機器を介して周辺機器を制御するシステムに関する。
【背景技術】
【０００２】
近年、ワークステーションやＰＣ等の小型化、低価格化によって、一人一台のＰＣを自由に利用することが可能な環境が普及している。また、ＬＡＮ（Local Area Network）等のネットワークの発達によって、ＰＣが全てのネットワークに接続されて、ＰＣ間でデータ交換等することが可能である。
【０００３】
このような環境において、ＰＣ間で１つの画面を共有するシステムや、画像や音声等を通信することにより、在席会議やＴＶ会議等を実行することにより情報を共有化することが可能なシステムを構築することが行なわれている（特許文献１）。
【特許文献１】特開平８−８８８４３号公報
【発明の開示】
【発明が解決しようとする課題】
【０００４】
一方で、例えば、ＰＣ間で１つの画面を共有して情報を共有化することが可能なシステムであっても、一般的に、スキャナ、プロジェクタ、ＴＶ会議システム等のような周辺機器とは連携しておらず、当該周辺機器を利用する場合については、それぞれの周辺機器の目的や状況に応じて、それぞれの周辺機器に対する操作を独立にする必要があった。
【０００５】
すなわち、情報を共有することが可能なシステムにおいて、周辺機器との連携処理は一般的に行なわれていなかった。
【０００６】
本発明は、上記のような問題を解決するためになされたものであって、情報を共有化することが可能なシステムにおいて、ユーザ操作に応じて周辺装置を制御することが可能な情報共有化システムおよび中継機器を提供することを目的とする。
【課題を解決するための手段】
【０００７】
本発明に係る情報共有化システムは、表示手段および表示手段に表示される情報を操作するための操作手段を含む情報処理装置と、情報の入力あるいは出力の少なくとも一方が可能な周辺機器と、情報処理装置と周辺機器とがそれぞれ接続された中継機器とを備える。中継機器は、接続される情報処理装置に対して情報を共有化するための共通の作業領域画面を送信する送信手段と、情報処理装置に対して送信された共通の作業領域画面に対する情報処理装置の操作手段による操作を検知する検知手段と、共通の作業領域画面に対する検知手段の検知結果に応じた処理を実行する作業領域制御手段と、検知手段の検知結果に応じて、中継機器と接続された周辺機器の動作を制御する周辺機器制御手段とを含む。
【０００８】
好ましくは、中継機器は、接続された周辺機器の種別を識別する機器識別手段をさらに備える。周辺機器制御手段は、機器識別手段により識別された周辺機器に応じた動作を制御するための制御情報を管理する周辺機器制御情報管理手段と、検知手段の検知結果に応じて、機器制御情報管理手段により管理されている制御情報を周辺機器に出力する周辺機器制御情報出力手段とを含む。
【０００９】
好ましくは、中継機器と同一の構成であり、ネットワークで接続された別の中継機器と、別の中継機器と接続された別の周辺機器とを備える。中継機器および別の中継機器の各々は、互いにネットワークを介して情報の送受信が可能な通信手段をさらに含む。中継機器の周辺機器制御手段は、通信手段により別の中継機器に対して別の中継機器と接続された別の周辺機器を制御するための制御情報を送信する。別の中継機器の周辺機器制御手段は、受信した制御情報に応じて別の中継機器の動作を制御する。
【００１０】
特に、情報処理装置の操作手段による操作は、共通の作業領域画面におけるデータファイルのオープン指示、クローズ指示、移動指示、全画面表示指示、削除指示、プリント指示のうちの少なくともいずれかに相当する。
【００１１】
特に、周辺機器は、ＴＶ会議システム、プリンタ、スキャナ、カメラ、マイク、ＩＰ電話機、プロジェクタの少なくともいずれかに相当する。
【００１２】
本発明に係る中継機器は、表示部を有する情報処理装置および周辺機器と接続される接続手段と、情報処理装置に対して情報を共有化するための共通の作業領域画面を送信する送信手段と、送信された共通の作業領域画面に対する接続された情報処理装置の操作手段による操作を検知する検知手段と、共通の作業領域画面に対する検知手段の検知結果に応じた処理を実行する作業領域制御手段と、検知手段の検知結果に応じて、接続手段と接続された周辺機器の動作を制御する周辺機器制御手段とを含む。
【発明の効果】
【００１３】
本発明に係る情報共有化システムは、中継機器において、接続される情報処理装置に対して情報を共有化するための共通の作業領域画面を送信する送信手段と、情報処理装置に対して送信された共通の作業領域画面に対する情報処理装置の操作手段による操作を検知する検知手段と、共通の作業領域画面に対する検知手段の検知結果に応じた処理を実行する作業領域制御手段と、検知手段の検知結果に応じて、中継機器と接続された周辺機器の動作を制御する周辺機器制御手段とを含む。
【００１４】
したがって、ユーザの操作に応じて周辺機器と連携処理して周辺装置の動作を制御することが可能である。
【発明を実施するための最良の形態】
【００１５】
以下、図面を参照しつつ本発明の実施の形態について説明する。以下の説明において同一の部品および構成要素には同一の符号を付してある。それらの名称および機能も同一であるものとする。
【００１６】
（実施の形態１）
図１は、本発明の実施の形態１に従う情報共有化システムについて説明する概略図である。
【００１７】
図１を参照して、ローカルなエリアにおいて構成される情報共有化ユニット１，２とが設けられ、情報共有化ユニット１，２は、ネットワーク３５で互いに接続されている。本例においては、情報共有化ユニット１，２のみがネットワーク３５で互いに接続されている場合について説明するが、特にこれに限られず、さらに複数個の情報共有化ユニットがネットワークと接続するシステムとすることも可能であるし、また、１つの情報共有化ユニットのみの構成とすることも可能である。なお、ネットワーク３５は、ＬＡＮ（Local Area Network）であってもよいし、公衆回線等を用いたＷＡＮ（Wide Area Network）であってもよい。
【００１８】
本発明の実施の形態１に従う情報共有化ユニット１は、情報処理装置の一種であるＰＣ５，１０（Personal Computer）と、ＴＶ会議システム１５と、中継機器２０とを備える。
【００１９】
また、情報共有化ユニット２は、情報処理装置の一種であるＰＣ６，１１（Personal Computer）と、ＴＶ会議システム１６と、中継機器２５とを備える。
【００２０】
また、中継機器２０，２５は、ネットワーク３５と接続されているものとする。
ここで、ＴＶ会議システム１５，１６には、カメラが設けられており、当該カメラで撮像された映像がＴＶで表示されるものとする。
【００２１】
図２は、中継機器２０の構成を説明する概略図である。
図２を参照して、中継機器２０は、本例においては、一例としてコネクタ端子４１〜４３が設けられ、コネクタ端子４１を介して、ＰＣ５と接続され、コネクタ端子４２を介してＰＣ１０と接続され、コネクタ端子４３を介してＴＶ会議システム１５と接続されている場合が示されている。また、図示しないがネットワーク３５と接続されるコネクタ端子が設けられているものとする。
【００２２】
なお、コネクタ端子の個数については、限定されない。なお、本例においては、中継機器２０の構成について説明したが、中継機器２５の構成についても同様である。
【００２３】
図３は、本発明の実施の形態１に従う中継機器２０の構成を説明する概略ブロック図である。
【００２４】
図３を参照して、本発明の実施の形態１に従う中継機器２０は、ワークスペース制御処理部２２と、接続機器識別処理部２４と、周辺機器制御情報管理部２６と、周辺機器制御処理部２８と、機器管理処理部３０と、情報処理装置操作検知部３２と、情報処理装置表示送受信部３４と、コネクタ部３６と、通信部３９と、ＤＨＣＰサービス４０と、内部バス３８とを含む。
【００２５】
コネクタ部３６は、図示しないネットワーク３５と接続されるコネクタ端子およびコネクタ端子４１〜４３を含み、コネクタ端子４１〜４３を介して情報処理装置および周辺機器と接続する。なお、周辺機器は、コネクタ端子を介して中継機器２０と接続されることにより中継機器２０を介してデータの送受信が可能となるものとする。
【００２６】
ワークスペース制御処理部２２は、後述する情報を共有化するための共通の作業領域画面に対する処理を実行する。なお、ワークスペース制御処理部２２には、共通の作業領域画面に対する処理を実行するための図示しない記憶領域が設けられているものとする。また、ワークスペースの各種の動作を制御するためのソフトウェアも当該記憶領域に格納されているものとする。なお、記憶領域は、ワークスペース制御処理部２２内に設けられてもよいし、別の領域に設けることも可能であるし、特に限定されない。
【００２７】
接続機器識別処理部２４は、コネクタ部３６に設けられたコネクタ端子４１〜４３を介してそれぞれ接続された機器種別・属性を識別する。具体的には、接続機器識別処理部２４は、後述するＤＨＣＰサービス４０によりＩＰアドレスが割り当てられた機器と、ＭＩＢ（Management Information Base）等の汎用プロトコルを用いて通信を行ない、機器の種別や属性を取得する。また、上述したように中継機器２０は、ネットワーク３５と接続されたコネクタ端子を有しているため、ネットワーク３５を介して接続されている別の中継機器（本例においては中継機器２５）についても、ＤＨＣＰサービス４０によりＩＰアドレスが割り当てられており、当該中継機器２５においても接続機器識別処理部２４により認識されているものとする。
【００２８】
周辺機器制御情報管理部２６は、周辺機器を制御するための制御信号情報等を管理する。具体的には、接続機器識別処理部２４で識別された機器種別・属性に応じて、当該識別された機器を制御するための制御信号情報等を予め格納しているものとする。なお、当該周辺機器を制御するための制御信号情報の格納は、ネットワークを介して接続された当該制御信号情報を格納しているサーバから自動的にダウンロードして格納することも可能であるし、あるいは、コネクタ部３６を介して当該情報が格納された記憶媒体からダウンロードすることも可能である。
【００２９】
周辺機器制御処理部２８は、周辺機器制御情報管理部２６で管理されている制御情報に基づいて周辺機器を制御する。
【００３０】
ＤＨＣＰサービス４０は、コネクタ部３６に設けられたコネクタ端子と接続された機器にＩＰアドレスを自動的に割り当てて記憶する。
【００３１】
機器管理処理部３０は、接続機器識別処理部２４が取得したコネクタ端子に対応するポート番号と、ＤＨＣＰサービス４０により割り当てられたＩＰアドレスと、機器種別・属性の関連を記憶し管理する。
【００３２】
情報処理装置操作検知部３２は、情報処理装置５，１０の共通の作業領域画面に対する操作処理を検知する。
【００３３】
情報処理装置表示送受信部３４は、ワークスペース制御処理部２２で処理された共通の作業領域画面を情報処理装置５，１０の表示部に送信する。また外部のネットワークを介して配信された共通の作業領域画面を受信して、情報処理装置５，１０の表示部に送信する。
【００３４】
通信部３９は、ネットワーク３５を介して接続された外部の例えば別の中継機器との間でデータの送受信を実行する。
【００３５】
各部は、内部バス３８と接続され、各部は、内部バス３８を介して互いにデータの授受が可能であるものとする。
【００３６】
図４は、機器管理処理部３０において管理している機器管理テーブルを説明する図である。
【００３７】
図４を参照して、コネクタ端子４１〜４３にそれぞれ対応してポート１〜３が設けられており、上述したようにＤＨＣＰサービス４０を用いてＩＰアドレスＡＤ１〜ＡＤ３が割り当てられた場合が示されている。
【００３８】
また、接続機器識別処理部２４により、ポート１に接続された機器種別としては、ＰＣ（５）であることが認識されている。また、ポート２に接続された機器種別としては、ＰＣ（１０）であることが認識されている。また、ポート３に接続された機器種別としては、ＴＶ会議システム（１５）であることが認識されている。
【００３９】
図５は、情報処理装置５，１０の表示部に表示される共通の作業領域画面を説明する図である。
【００４０】
図５を参照して、ここでは、表示部のデスクトップ画面に共通の作業領域画面であるワークスペース５０が表示されている場合が示されている。そして、上覧には、ワークスペースの種々の機能を実行することが可能な「メニュー」の項目が表示されている。なお、当該ワークスペースに対する操作処理は、マウス等のポインティングデバイスを用いて操作することが可能であるものとする。なお、ここでは、ワークスペース５０外の領域に「ファイルＡ」および「ファイルＢ」のオブジェクトが表示されている場合が示されている。
【００４１】
例えば、一例として、マウス等のポインティングデバイスを用いてカーソルを「ファイルＡ」あるいは「ファイルＢ」に合わせて、いわゆる、ドラッグアンドドロップにより、ワークスペース内に「ファイルＡ」あるいは「ファイルＢ」に移動させることが可能である。また、ポインティングデバイスの操作によってワークスペースに手書き入力を行うことも可能である。
【００４２】
図６は、本発明の実施の形態１に従う中継機器２０のワークスペースの起動処理を説明するフロー図である。
【００４３】
図６を参照して、まず、中継機器２０に電源が投入されたかどうかを判断する（ステップＳ１）。
【００４４】
電源が投入された場合には、上述したように中継機器２０の図示しない記憶領域に格納されている、ワークスペースの各種の動作を制御するためのソフトウェアがロードされて、中継機器２０において各部におけるワークスペースに関する処理が可能となるものとする。
【００４５】
そして、機器の接続を確認する（ステップＳ２）。具体的には、接続機器識別処理部２４により、コネクタ端子４１〜４３に接続されている機器種別を認識する。
【００４６】
そして、次に、機器管理処理部３０は、上述したように識別した機器種別に従って、機器管理テーブルに接続されている機器に関するデータを登録する（ステップＳ３）。
【００４７】
そして、ワークスペース配信処理を実行する（ステップＳ４）。そして、処理を終了する（エンド）。
【００４８】
図７は、ワークスペース配信処理を説明するフロー図である。
図７を参照して、まず、ローカルの情報処理装置にワークスペース配信処理を実行する（ステップＳ１０）。具体的には、ワークスペース制御処理部２２は、ワークスペースの起動処理等を実行して、ワークスペースの初期画面に対する表示処理を実行する。そして、情報処理装置表示送受信部３４は、ワークスペース制御処理部２２により処理されたワークスペースの初期画面を機器管理処理部３０の機器管理テーブルに登録されている情報処理装置に対して送信する。
【００４９】
そして、次に他の中継機器にワークスペース配信処理を実行する（ステップＳ１１）。そして、処理を終了する（エンド）。
【００５０】
具体的には、情報処理装置表示送受信部３４は、通信部２９を介して、ワークスペースの初期画面をネットワーク３５を介して外部の中継機器に送信する。
【００５１】
本例においては、例えば、外部の中継機器として中継機器２５に送信する場合について説明する。
【００５２】
図８は、ワークスペース受信処理を説明するフロー図である。
図８を参照して、ワークスペースを受信したかどうかを判断する（ステップＳ１２）。
【００５３】
本例においては、中継機器２５においてワークスペースを受信するものとする。
具体的には、中継機器２５の通信部２９を介して、中継機器２５の情報処理装置表示送受信部３４はワークスペースを受信する。
【００５４】
そして、次に、ローカルの情報処理装置にワークスペースの配信処理を実行する（ステップＳ１３）。具体的には、中継機器２５の情報処理装置表示送受信部３４は、ワークスペースをローカルの情報処理装置６，１１の表示部に送信する。
【００５５】
当該処理により、情報処理装置５，１０に表示されているワークスペース５０と同様のワークスペースが情報処理装置６，１１の表示部に表示されることになる。すなわち、情報を共有化するための共通の作業領域画面であるワークスペースが情報処理装置６，１１に配信される。
【００５６】
なお、図７および図８で説明したワークスペース配信処理およびワークスペース受信処理は、ワークスペースに対する処理毎に実行される。
【００５７】
図９は、ワークスペースにオブジェクトであるファイルを移動した場合について説明する図である。
【００５８】
図９に示されるように、ここでは、図５で示された情報処理装置５の表示部のデスクトップ画面に表示されていたワークスペース５０外に表示されていたファイルＡ，Ｂのオブジェクトがワークスペース５０内に移動した場合の画面が示されている。
【００５９】
本例においては、一例として、情報処理装置５において、表示部に表示されていたファイルＡ，Ｂのオブジェクトをワークスペース５０内に移動させたものとする。
【００６０】
具体的には、情報処理装置５において、上述したようにマウス等のポインティングデバイスを用いてドラッグアンドドロップにより、ワークスペース５０内に「ファイルＡ」および「ファイルＢ」を移動させるものとする。
【００６１】
中継機器２０において、情報処理装置操作検知部３２は、情報処理装置５において、ワークスペース５０内への「ファイルＡ」のオブジェクト６０および「ファイルＢ」のオブジェクト７０のファイル入力を検知して、ワークスペース制御処理部２２に出力する。また、マウス等のポインティングデバイスに従う当該オブジェクトが配置されるワークスペース内の座標位置を検知して、ワークスペース制御処理部２２に出力する。
【００６２】
ワークスペース制御処理部２２は、情報処理装置操作検知部３２からの検知結果に基づいて、情報を共有化するための共通の作業領域画面（ワークスペース）に対する表示処理を実行する。そして、情報処理装置表示送受信部３４は、ワークスペース制御処理部２２で処理されたワークスペースを情報処理装置５，１０の表示部に送信する（ワークスペース配信処理）。
【００６３】
図１０は、中継機器２０から中継機器２５にワークスペースを送信する際のデータ処理について説明する図である。
【００６４】
図１０を参照して、中継機器２０から中継機器２５に対して、ワークスペースを送信する際、表示部に表示する際のワークスペースの大きさであるワークスペースのサイズ送信が実行される。また、ワークスペース内にオブジェクトが配置される場合には、情報処理装置操作検知部３２で検知したオブジェクトの入力に従って、当該オブジェクトのファイル転送が実行される。
【００６５】
また、ワークスペース内にオブジェクトが配置される場合には、ワークスペースのサイズに基づく、情報処理装置操作検知部３２で検知したワークスペース内におけるオブジェクトの座標が転送される。
【００６６】
当該処理により、中継機器２５の情報処理装置表示送受信部３４で受信して、ワークスペース制御処理部２２で処理されて、ローカルの情報処理装置６，１１に送信される（ワークスペース配信処理）。
【００６７】
これにより、ローカルの情報処理装置６，１１の表示部において、情報処理装置５で表示されたワークスペースと同一のワークスペースが表示される。
【００６８】
図１１は、ワークスペース５０内に配置されるオブジェクトに対する表示操作を実行した場合について説明する図である。
【００６９】
図１１を参照して、ここでは、図１０で示されたワークスペース５０内に配置されたファイルＡの内容を表示するための表示操作を実行した場合の画面が示されている。
【００７０】
具体的には、情報処理装置５において、上述したようにマウス等のポインティングデバイスを用いて、「ファイルＡ」のオブジェクトにポインティングデバイスを合わせてダブルクリック（オープン指示）することにより「ファイルＡ」の内容を画面表示する処理が実行されるものとする。
【００７１】
図１２は、図１１で説明したオブジェクトに対する処理を実行した場合の各機器における処理の流れについて説明する図である。
【００７２】
図１２を参照して、本例においては、一例として、情報処理装置５において、「ファイルＡ」が配置されたオブジェクト座標をダブルクリック指示したものとする。
【００７３】
中継機器２０の情報処理装置操作検知部３２は、情報処理装置５において、ワークスペース５０内の「ファイルＡ」のオブジェクト座標の位置に対するダブルクリック指示を検知して、ワークスペース制御処理部２２に出力する。
【００７４】
ワークスペース制御処理部２２は、情報処理装置操作検知部３２からの検知結果に基づいて、情報を共有化するための共通の作業領域画面（ワークスペース）に対する表示処理を実行する。具体的には、「ファイルＡ」のオブジェクトにポインティングデバイスを合わせてダブルクリックすることにより「ファイルＡ」の内容を展開した表示処理を実行する。すなわち、ワークスペース制御処理部２２において、ワークスペース内におけるオブジェクトの表示イメージが生成される。
【００７５】
そして、中継機器２０の情報処理装置表示送受信部３４は、ワークスペース制御処理部２２で処理されたワークスペースを情報処理装置５，１０の表示部に送信する（オブジェクト表示イメージ配信）。
【００７６】
そして、ＰＣ５，１０の表示部において、情報処理装置表示送受信部３４から送信されたワークスペースの表示処理を実行する。すなわち、中継機器２０のワークスペース制御処理部２２で生成されたオブジェクトの表示イメージがワークスペース内において更新表示される。
【００７７】
また、中継機器２０の情報処理装置表示送受信制御部３４は、中継機器２５に対して、中継機器２０の情報処理装置操作検知部３２で検知した検知結果を送信する。具体的には、ワークスペース５０内の「ファイルＡ」のオブジェクト座標の位置に対するダブルクリック指示を中継機器２５に送信する。
【００７８】
中継機器２５の情報処理装置表示送受信制御部３４は、中継機器２０から送信されたオブジェクト座標の位置に対するダブルクリック指示を受信して、ワークスペース制御処理部２２に出力する。
【００７９】
中継機器２５のワークスペース制御処理部２２は、情報処理装置表示送受信制御部３４で受信した内容に基づいて、情報を共有化するための共通の作業領域画面（ワークスペース）に対する表示処理を実行する。具体的には、オブジェクト座標の位置に対するダブルクリック指示すなわち、「ファイルＡ」のオブジェクトにポインティングデバイスを合わせてダブルクリックしたものと判断して、「ファイルＡ」の内容を展開した表示処理を実行する。すなわち、中継機器２５のワークスペース制御処理部２２において、ワークスペース内におけるオブジェクトの表示イメージが生成される。
【００８０】
そして、中継機器２５の情報処理装置表示送受信部３４は、ワークスペース制御処理部２２で処理されたワークスペースを情報処理装置６，１１の表示部に送信する（オブジェクト表示イメージ配信）。
【００８１】
そして、ＰＣ６，１１の表示部において、情報処理装置表示送受信部３４から送信されたワークスペースの表示処理を実行する。すなわち、中継機器２５のワークスペース制御処理部２２で生成されたオブジェクトの表示イメージがワークスペース内において更新表示される。
【００８２】
一方、逆に、情報処理装置５において、「ファイルＡ」の内容が画面表示されているワークスペースにおいて、マウス等のポインティングデバイスを用いて、「ファイルＡ」のオブジェクトにポインティングデバイスを合わせてダブルクリック（クローズ指示）することにより「ファイルＡ」の内容の表示処理を終了する処理が実行されるものとする。すなわち、オブジェクトに対する非表示操作を実行した場合にワークスペースは、再び図９の画面になり更新表示されるものとする。
【００８３】
当該場合においても、上記と同様の方式により、情報処理装置１０の表示部および情報処理装置６，１１の表示部に同一のワークスペースが表示されることになる。
【００８４】
次に、本発明の実施の形態１に従う周辺機器であるＴＶ会議システムとの連携処理について説明する。
【００８５】
具体的には、ワークスペースにおけるオブジェクトの表示操作あるいは非表示操作と、ＴＶ会議システムのカメラアングルとを対応付ける方式について説明する。
【００８６】
図１３は、本発明の実施の形態１に従うワークスペースにおけるオブジェクトの表示操作あるいは非表示操作と、ＴＶ会議システムのカメラアングルとの対応付けを説明する図である。なお、当該コマンドすなわち、ワークスペースにおけるオブジェクトの表示操作あるいは非表示操作と、ＴＶ会議システムのカメラアングルとの対応付けに関する指示は、周辺機器制御情報管理部２６に予め格納されているものとする。また、ＴＶ会議システムに設けられたカメラのカメラアングルを制御するための制御信号情報も予め格納されているものとする。また、後述するカメラアングル設定テーブルは、中継機器２０の周辺機器制御情報管理部２６に格納されているものとする。
【００８７】
図１３を参照して、ここでは、一例として、オブジェクトの表示操作をした場合には、カメラアングルを操作したポートに対応付けられた角度に設定するものとする。
【００８８】
一方、オブジェクトの非表示操作をした場合には、初期状態に設定するものとする。
図１４は、メニュー画面を説明する図である。
【００８９】
図１４を参照して、ここでは、ワークスペース５０の「メニュー」ボタン５２をポインティングデバイスであるマウスを用いてクリック（指定）することにより、メニュー画面が表示されるものとする。
【００９０】
そして、メニュー画面として、複数の設定項目が表示され、ここでは、一例として、「カメラアングル設定」、「プロジェクタ動作設定」等、・・・種々の項目が表示されているものとする。
【００９１】
ここでは、一例として、「カメラアングル設定」ボタン５５をポインティングデバイスであるマウスを用いてクリック（指定）する。
【００９２】
図１５は、カメラアングル設定画面８０を説明する図である。
図１５（ａ）を参照して、ここでは、カメラアングル設定画面８０が表示され、ポート１〜３にそれぞれ対応して角度を設定可能な画面が表示されている。
【００９３】
ここで、ユーザは、「編集」ボタン８２をポインティングデバイスであるマウスを用いてクリック（指定）することにより、対応するポートに対する角度の設定が可能である。
【００９４】
なお、ポート３は、ＴＶ会議システムであるので初期値が予め設定されており編集できないように設定されている。
【００９５】
図１５（ｂ）は、カメラアングル編集画面９０を説明する図である。
図１５（ｂ）を参照して、ここでは、ポート１に対応する項目の「編集」ボタン８２がクリック（指定）された場合の画面が示されており、ポート１の角度を入力する画面が示されている。
【００９６】
入力欄９２にユーザがポート１の角度を例えばキーボード入力等して、「ＯＫ」ボタン９４をクリック（指定）することにより、カメラアングル設定画面８０が更新されて、対応するポートの角度を編集することが可能である。なお、「Ｃａｎｃｅｌ」ボタン９６をクリック（指定）することにより前の画面であるカメラアングル設定画面に戻るものとする。
【００９７】
そして、編集処理後、図１５（ａ）のカメラアングル設定画面８０における「ＯＫ」ボタンをクリック（指定）することにより中継機器２０の周辺機器制御情報管理部２６において格納されているカメラアングル設定テーブルのデータが更新されるものとする。なお、編集処理前には、予め初期値が格納されているものとする。
【００９８】
図１６は、カメラアングル設定テーブルを説明する図である。
図１６を参照して、上述した方式に従って設定されたカメラアングル設定テーブルが示されている。
【００９９】
カメラアングル設定テーブルにおいて、ポート１〜３の項目が表示され、それぞれのポートに接続されている機器種別が表示されている。具体的には、ポート１，２には、ＰＣが接続され、ポート３には、ＴＶ会議システムが接続されている場合が示されている。また、各ポートに対応して角度の設定が可能である。
【０１００】
そして、ポート３に接続されているＴＶ会議システムに設けられたカメラの初期状態のカメラアングルに対する各機器の角度が設定されているものとする。
【０１０１】
具体的には、ポート１のＰＣ（５）については、３０°に設定されている。また、ポート２のＰＣ（１０）については、−３０°に設定されている。なお、「＋」の角度は、初期状態のカメラアングルから時計回りの方向を表し、「−」の角度は、初期状態のカメラアングルから反時計回りの方向を表すものとする。
【０１０２】
例えば、情報処理装置５において、ワークスペース５０内に配置された「ファイルＡ」の上記で説明したオブジェクトの表示操作をした場合には、カメラアングルを操作したポートに対応付けられた角度にカメラアングルを設定する。具体的には、情報処理装置操作検知部３２は、オブジェクトの表示操作を検知して、周辺機器制御情報管理部２６に出力する。周辺機器制御情報管理部２６は、情報処理装置操作検知部３２からの検知結果に基づいて、上述したカメラアングル設定テーブルの情報と、カメラアングルを設定するための制御信号情報を周辺機器制御処理部２８に出力する。周辺機器制御処理部２８は、コネクタ部３６を介してポート３に接続されたＴＶ会議システム１５に対して、ＴＶ会議システム１５に設けられているカメラのカメラアングルが、カメラアングル設定テーブルに格納された角度（３０°）となるように制御信号を出力する。そして、ＴＶ会議システム１５は、周辺機器制御処理部２８からコネクタ部３６を介して入力される制御信号を受けて、カメラのカメラアングルを情報処理装置５の方向である初期状態から時計方向に３０°の方向に向ける。
【０１０３】
また、情報処理装置１０において、ワークスペース５０内に配置された「ファイルＡ」の上記で説明したオブジェクトの表示操作をした場合には、カメラアングルを操作したポートに対応付けられた角度にカメラアングルを設定する。具体的には、情報処理装置操作検知部３２は、オブジェクトの表示操作を検知して、周辺機器制御情報管理部２６に出力する。周辺機器制御情報管理部２６は、情報処理装置操作検知部３２からの検知結果に基づいて、上述したカメラアングル設定テーブルの情報と、カメラアングルを設定するための制御信号情報を周辺機器制御処理部２８に出力する。周辺機器制御処理部２８は、コネクタ部３６を介してポート３に接続されたＴＶ会議システム１５に対して、ＴＶ会議システム１５に設けられているカメラのカメラアングルが、カメラアングル設定テーブルに格納された角度（−３０°）となるように制御信号を出力する。そして、ＴＶ会議システム１５は、周辺機器制御処理部２８からコネクタ部３６を介して入力される制御信号を受けて、カメラのカメラアングルを情報処理装置１０の方向である初期状態から反時計方向に３０°の方向に向ける。
【０１０４】
一方、情報処理装置５において、ワークスペース５０内に配置された「ファイルＡ」の上記で説明したオブジェクトの非表示操作をした場合には、カメラアングルを初期状態に設定する。具体的には、情報処理装置操作検知部３２は、オブジェクトの非表示操作を検知して、周辺機器制御情報管理部２６に出力する。周辺機器制御情報管理部２６は、情報処理装置操作検知部３２からの検知結果に基づいて、上述したカメラアングル設定テーブルの情報と、カメラアングルを設定するための制御信号情報を周辺機器制御処理部２８に出力する。周辺機器制御処理部２８は、コネクタ部３６を介してポート３に接続されたＴＶ会議システム１５に対して、ＴＶ会議システム１５に設けられているカメラのカメラアングルが初期状態となるように制御信号を出力する。そして、ＴＶ会議システム１５は、周辺機器制御処理部２８からコネクタ部３６を介して入力される制御信号を受けて、カメラのカメラアングルを初期状態の方向に向ける。
【０１０５】
当該方式により、オブジェクトの表示操作をした情報処理装置の方向にＴＶ会議システムのカメラアングルが設定される。また、オブジェクトの非表示操作をした場合に、ＴＶ会議システムのカメラアングルが初期状態に設定される。すなわち、ワークスペース５０内のオブジェクトの操作指示に従って、周辺装置であるＴＶ会議システムに設けられたカメラのカメラアングルを制御することができる。
【０１０６】
なお、本例においては、「ファイルＡ」のオブジェクトにポインティングデバイスを合わせてダブルクリック（オープン指示あるいはクローズ指示）する操作と対応付けて、周辺装置であるＴＶ会議システムのカメラアングルを制御することについて説明したが、特にこれらの操作に限られず、オブジェクトの移動指示や、全画面表示指示、削除指示、プリント指示等の操作に対応付けてカメラアングルを制御することも可能であるし、また、ＴＶ会議システムのカメラアングルに限られず、他の周辺機器の動作と対応付けて制御することも可能である。
【０１０７】
（実施の形態２）
図１７は、本発明の実施の形態２に従う情報共有化システムについて説明する概略図である。
【０１０８】
図１７を参照して、本発明の実施の形態２に従う情報共有化システムは、ローカルなエリアにおいて構成される情報共有化ユニット１＃，２＃とが設けられ、情報共有化ユニット１＃，２＃は、ネットワーク３５で互いに接続されている。本例においては、情報共有化ユニット１＃，２＃のみがネットワーク３５で互いに接続されている場合について説明するが、特にこれに限られず、さらに複数個の情報共有化ユニットがネットワークと接続するシステムとすることも可能であるし、また、１つの情報共有化ユニットのみの構成とすることも可能である。なお、ネットワーク３５は、ＬＡＮ（Local Area Network）であってもよいし、公衆回線等を用いたＷＡＮ（Wide Area Network）であってもよい。
【０１０９】
本発明の実施の形態１に従う情報共有化ユニット１＃は、情報処理装置の一種であるＰＣ５と、周辺機器であるプロジェクタ８と、中継機器２０とを備える。
【０１１０】
また、情報共有化ユニット２は、情報処理装置の一種であるＰＣ６と、周辺機器であるプロジェクタ１９と、中継機器２５とを備える。
【０１１１】
また、中継機器２０，２５は、ネットワーク３５と接続されているものとする。
ここで、プロジェクタ１８，１９は、本例においては共通の作業領域画面であるワークスペースを大型スクリーン等に投影するものとする。
【０１１２】
次に、本発明の実施の形態２に従う周辺機器であるプロジェクタとの連携処理について説明する。
【０１１３】
具体的には、ワークスペースにおけるオブジェクトの表示操作あるいは非表示操作と、プロジェクタとを対応付ける方式について説明する。
【０１１４】
図１８は、本発明の実施の形態２に従うワークスペースにおけるオブジェクトの表示操作あるいは非表示操作と、プロジェクタの動作との対応付けを説明する図である。なお、当該コマンドすなわち、ワークスペースにおけるオブジェクトの表示操作あるいは非表示操作と、プロジェクタの動作との対応付けに関する指示は、周辺機器制御情報管理部２６に予め格納されているものとする。また、プロジェクタの動作、例えば、後述するプロジェクタの電源ＯＮ、電源ＯＦＦ、プロジェクタの電源をＯＮし、オブジェクトＶＩＥＷを投影等の動作を設定する制御信号情報も予め格納されているものとする。
【０１１５】
図１８（ａ）を参照して、ここでは、プロジェクタの動作設定画面１００が示されている。具体的には、オブジェクトの表示操作および非表示操作に対応付けるプロジェクタの動作が示されている。
【０１１６】
ここでは、オブジェクトの表示操作および非表示操作に対応付けるプロジェクタの動作は「なし」として表示されている。
【０１１７】
図１８（ｂ）を参照して、ここでは、プロジェクタの動作設定画面１００において、オブジェクト表示操作に対応付けるプロジェクタの動作として、選択可能な複数の項目が表示されている。具体的には、プルダウンメニューボタン１０２をクリック（指定）することにより、選択可能な複数の項目が表示される。具体的には、一例として、「なし」、「プロジェクタの電源ＯＦＦ」、「プロジェクタの電源ＯＮ」、「プロジェクタの電源をＯＮしオブジェクトＶＩＥＷを投影」の４項目がポインティングデバイスであるマウスを用いてクリック（指定）することにより、選択可能な状態となっている。
【０１１８】
ここで、「プロジェクタの電源ＯＦＦ」は、プロジェクタの電源をＯＦＦして、投影処理を終了することを指し示す。また、「プロジェクタの電源ＯＮ」は、プロジェクタの電源をＯＮして、投影処理を開始することを指し示す。また、「プロジェクタの電源をＯＮしオブジェクトＶＩＥＷを投影」は、プロジェクタの電源をＯＮして、投影処理を開始するとともに、投影処理の内容として、ワークスペースにおけるオブジェクトの内容の投影処理を実行することを指し示す。
【０１１９】
ユーザは、オブジェクトの表示操作および非表示操作に対応付けるプロジェクタの動作が示されている。
【０１２０】
ここでは、オブジェクトの表示操作および非表示操作に対応付けるプロジェクタの動作は「なし」として表示されている。
【０１２１】
図１８（ｃ）を参照して、ここでは、プロジェクタの動作設定画面１００において、オブジェクト表示操作に対応付けるプロジェクタの動作として、「プロジェクタの電源ＯＮ」を選択した場合が示されている。一方、オブジェクト非表示操作に対応付けるプロジェクタの動作として、「なし」に設定されている場合が示されている。
【０１２２】
そして、「ＯＫ」ボタンをポインティングデバイスであるマウスを用いてクリック（指定）することにより、オブジェクトの表示操作および非表示操作に対応付けるプロジェクタの動作が設定される。当該内容は、中継機器２０の周辺機器制御情報管理部２６において格納される。
【０１２３】
また、設定された内容は、中継機器２０の通信部２９を介して中継機器２５に送信され、中継機器２５の周辺機器制御情報管理部２６においても同様の内容に設定されるものとする。
【０１２４】
当該場合に、例えば、情報処理装置５において、ワークスペース５０内に配置された「ファイルＡ」の上記で説明したオブジェクトの表示操作をした場合には、プロジェクタの電源がＯＮして、投影処理が開始される。具体的には、情報処理装置操作検知部３２は、オブジェクトの表示操作を検知して、周辺機器制御情報管理部２６に出力する。周辺機器制御情報管理部２６は、情報処理装置操作検知部３２からの検知結果に基づいて、オブジェクト表示操作に対応付けられたプロジェクタの動作内容に従って、プロジェクタの動作を規定するための制御信号情報を周辺機器制御処理部２８に出力する。周辺機器制御処理部２８は、コネクタ部３６を介してプロジェクタ１８に対して、電源がＯＮするように制御信号を出力する。そして、プロジェクタ１８は、周辺機器制御処理部２８からコネクタ部３６を介して入力される制御信号を受けて、電源をＯＮし投影処理を開始する。
【０１２５】
また、具体的には、情報処理装置操作検知部３２は、オブジェクトの表示操作を検知して、周辺機器制御情報管理部２６に出力する。周辺機器制御情報管理部２６は、情報処理装置操作検知部３２からの検知結果に基づいて、オブジェクト表示操作に対応付けられたプロジェクタの動作内容に従って、プロジェクタの動作を規定するための制御信号情報を周辺機器制御処理部２８に出力する。周辺機器制御処理部２８は、コネクタ部３６を介してプロジェクタ１８に対して、電源がＯＮするように制御信号を出力する。そして、プロジェクタ１８は、周辺機器制御処理部２８からコネクタ部３６を介して入力される制御信号を受けて、電源をＯＮし投影処理を開始する。
【０１２６】
また、情報処理装置５と同一のワークスペースが配信処理されて、情報処理装置６の表示部に表示される。
【０１２７】
具体的には、上述したように中継機器２０は、中継機器２５に対して、中継機器２０の情報処理装置操作検知部３２で検知した検知結果を送信する。具体的には、ワークスペース５０内の「ファイルＡ」のオブジェクト座標の位置に対するダブルクリック指示を中継機器２５に送信する。
【０１２８】
中継機器２５の情報処理装置表示送受信制御部３４は、中継機器２０から送信されたオブジェクト座標の位置に対するダブルクリック指示を受信して、ワークスペース制御処理部２２に出力する。
【０１２９】
中継機器２５のワークスペース制御処理部２２は、情報処理装置表示送受信制御部３４で受信した内容（オブジェクト表示操作）に基づいて、情報を共有化するための共通の作業領域画面（ワークスペース）に対する表示処理を実行する。具体的には、オブジェクト座標の位置に対するダブルクリック指示すなわち、「ファイルＡ」のオブジェクトにポインティングデバイスを合わせてダブルクリックしたものと判断して、「ファイルＡ」の内容を展開した表示処理を実行する。すなわち、中継機器２５のワークスペース制御処理部２２において、ワークスペース内におけるオブジェクトの表示イメージが生成される。
【０１３０】
また、中継機器２５の情報処理装置表示送受信制御部３４は、受信した内容（オブジェクト表示操作）に基づいて、中継機器２５の周辺機器制御情報管理部２６に出力する。周辺機器制御情報管理部２６は、受信した内容に基づいて、オブジェクト表示操作に対応付けられたプロジェクタの動作内容に従って、プロジェクタの動作を規定するための制御信号情報を周辺機器制御処理部２８に出力する。周辺機器制御処理部２８は、コネクタ部３６を介してプロジェクタ１９に対して、電源がＯＮするように制御信号を出力する。そして、プロジェクタ１９は、周辺機器制御処理部２８からコネクタ部３６を介して入力される制御信号を受けて、電源をＯＮし投影処理を開始する。
【０１３１】
一方、情報処理装置５において、ワークスペース５０内に配置された「ファイルＡ」の上記で説明したオブジェクトの非表示操作をした場合には、本例においては、プロジェクタの動作としては「なし」に設定するため動作としては、変更がない。仮に、「プロジェクタの電源ＯＦＦ」に設定されている場合には、同様の方式に従って、プロジェクタ１８，１９の電源がＯＦＦして、投影処理が終了する。
【０１３２】
また、仮に、オブジェクトの表示操作に対して、「プロジェクタの電源をＯＮしオブジェクトＶＩＥＷを投影」が対応付けられて設定されている場合には、同様の方式に従って、上記で説明したオブジェクトの表示操作をした場合には、プロジェクタ１８，１９の電源がＯＮして、投影処理を開始するとともに、投影処理の内容として、ワークスペースにおけるオブジェクトの内容の投影処理が実行される。
【０１３３】
当該方式により、オブジェクトの表示操作あるいはオブジェクトの非表示操作をした場合に、周辺機器であるプロジェクタの動作を制御することが可能である。すなわち、ワークスペース５０内のオブジェクトの操作指示に従って、中継機器２０に対してローカルな周辺装置であるプロジェクタ１８に対する動作を制御することが可能であるとともに、別の中継機器２５と接続されたプロジェクタ１９に対する動作も制御することが可能である。
【０１３４】
なお、本例においては、中継機器において、オフジェクトの表示操作に対する表示内容の表示処理等を実行する方式について説明したが、情報処理装置において、当該オブジェクトの表示操作に対する表示内容の表示処理を実行するようにすることも可能である。
【０１３５】
なお、上記においては、ワークスペースの起動処理に関して、中継機器２０に電源が投入された後、自動的にワークスペースを起動して中継機器２０側から例えばローカルの情報処理装置に対してワークスペースの初期画面が配信される方式について説明したが、特にこれに限られず、ワークスペースを閲覧／編集等するための初期画面は、ローカルの情報処理装置で立ち上げ、例えば、図５の「メニュー」の項目ボタンを選択して、ワークスペースの起動を指示することにより、図７で説明した中継機器２０側からのワークスペースの配信処理が実行されるように設定することも可能である。あるいは、中継機器２０とローカルの情報処理装置とが接続されていなくても、ローカルの情報処理装置において、初期画面を立ち上げてワークスペースの起動が指示されている場合には、中継機器２０とローカルの情報処理装置とが接続された際に、図７で説明したワークスペースの配信処理が実行されるように設定することも可能である。また、その際に、中継機器２０の電源投入と組み合わせて、中継機器２０の電源が投入された場合にワークスペースの配信処理を実行するようにすることも可能である。
【０１３６】
なお、本発明にかかる周辺装置は、ＴＶ会議システムや、プロジェクタに限定されず、ＭＦＰや、スキャナや、プリンタ、カメラ、マイク、ＩＰ（Internet Protocol）電話機等であってもよい。なお、中継機器を制御する各部について、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３７】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１３８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３９】
提供されるプログラム製品は、ハードディスクなどのプログラム格納部にインストールされて実行される。なお、プログラム製品は、プログラム自体と、プログラムが記録された記録媒体とを含む。
【０１４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４１】
【図１】本発明の実施の形態１に従う情報共有化システムについて説明する概略図である。
【図２】中継機器２０の構成を説明する概略図である。
【図３】本発明の実施の形態１に従う中継機器２０の構成を説明する概略ブロック図である。
【図４】機器管理処理部３０において管理している機器管理テーブルを説明する図である。
【図５】情報処理装置５，１０の表示部に表示される共通の作業領域画面を説明する図である。
【図６】本発明の実施の形態１に従う中継機器２０のワークスペースの起動処理を説明するフロー図である。
【図７】ワークスペース配信処理を説明するフロー図である。
【図８】ワークスペース受信処理を説明するフロー図である。
【図９】ワークスペースにオブジェクトであるファイルを移動した場合について説明する図である。
【図１０】中継機器２０から中継機器２５にワークスペースを送信する際のデータ処理について説明する図である。
【図１１】ワークスペース５０内に配置されるオブジェクトに対する表示操作を実行した場合について説明する図である。
【図１２】図１１で説明したオブジェクトに対する処理を実行した場合の各機器における処理の流れについて説明する図である。
【図１３】本発明の実施の形態１に従うワークスペースにおけるオブジェクトの表示操作あるいは非表示操作と、ＴＶ会議システムのカメラアングルとの対応付けを説明する図である。
【図１４】メニュー画面を説明する図である。
【図１５】カメラアングル設定画面８０を説明する図である。
【図１６】カメラアングル設定テーブルを説明する図である。
【図１７】本発明の実施の形態２に従う情報共有化システムについて説明する概略図である。
【図１８】本発明の実施の形態２に従うワークスペースにおけるオブジェクトの表示操作あるいは非表示操作と、プロジェクタの動作との対応付けを説明する図である。
【符号の説明】
【０１４２】
１，１＃，２，２＃  情報共有化ユニット、５，６，１０，１１  ＰＣ、１５，１６  ＴＶ会議システム、１８，１９  プロジェクタ、２０，２５  中継器、２２  ワークスペース制御処理部、２４  接続機器識別処理部、２６  周辺機器制御情報管理部、２８  周辺機器制御処理部、２９  通信部、３０  機器管理処理部、３２  情報処理装置操作検知部、３４  情報処理装置表示送受信部、３５  ネットワーク、３６  コネクタ部、４０  ＤＨＣＰサービス。
【図１】
2010067190.tif 000003
【図２】
2010067190.tif 000004
【図３】
2010067190.tif 000005
【図４】
2010067190.tif 000006
【図５】
2010067190.tif 000007
【図６】
2010067190.tif 000008
【図７】
2010067190.tif 000009
【図８】
2010067190.tif 000010
【図９】
2010067190.tif 000011
【図１０】
2010067190.tif 000012
【図１１】
2010067190.tif 000013
【図１２】
2010067190.tif 000014
【図１３】
2010067190.tif 000015
【図１４】
2010067190.tif 000016
【図１５】
2010067190.tif 000017
【図１６】
2010067190.tif 000018
【図１７】
2010067190.tif 000019
【図１８】
2010067190.tif 000020